(57)【要約】【課題】快適な仰臥姿勢で入浴でき、リフォームの際の取り替え用として幅約１２００ｍｍ前後の既存の狭い浴室に設置できる浴槽を提供する。【解決手段】浴槽の前後壁が、底壁に対して適宜に傾斜した背もたれ壁と、ほぼ直立する対向壁とで構成され、浴槽の両側壁が背もたれ壁の上方部に比べて対向壁の近傍において広がり、平均的日本人が仰臥姿勢で両足を組んで入浴した際に、頭部を背もたれ壁の上縁に載せると膝部または脛部が対向壁に軽く接触する程度の長さを有する。【選択図】図２
2007175099.tif 000002
【特許請求の範囲】
【請求項１】
浴槽の前後壁が、水平面に対して適宜に傾斜した背もたれ壁と、ほぼ直立する対向壁とで構成され、浴槽の両側壁が背もたれ壁の上方部に比べて対向壁の近傍において広がることにより、入浴者が両足を組んで入ることが可能であり、平均的日本人が仰臥姿勢で両足を組んで入浴した際に、頭部を背もたれ壁の上縁に載せると膝部または脛部が対向壁に軽く接触する程度の長さを有する仰臥可能な省エネ浴槽。
【請求項２】
全長が１２００ｍｍ前後であり、且つ底壁が水平面に対して５〜１５度傾斜している請求項１記載の省エネ浴槽。
【請求項３】
背もたれ壁から対向壁まで延びる支持板を浴槽内で水平または斜めに設置し、該支持板の傾斜角度を適宜に変更することにより、入浴者の身長の長短に対応させる請求項１記載の省エネ浴槽。
【請求項４】
背もたれ壁と底壁との交差部分に傾斜または湾曲表面の隅付け材を嵌め込んで固着する請求項１記載の省エネ浴槽。
【請求項５】
平行に並べて組み立てた間伐材の小割り材ないしプラスチックプレートまたはガラス繊維強化プラスチックの成形品によって構成され、この間伐材はヒノキ、サワラまたはコウヤマキである請求項１，２または３記載の省エネ浴槽。
【発明の詳細な説明】
【技術分野】
【０００１】
本発明は、快適な仰臥姿勢で入浴できる安価な省エネ浴槽に関し、リフォームの際の取り替え用として幅約１２００ｍｍ前後の既存の狭い浴室に設置することができる仰臥可能な省エネ浴槽に関する。
【背景技術】
【０００２】
ビジネスホテル、団地または古いマンションでは、バスルームはユニットバス形式の短寸のものが多く、入浴時に立て膝をして浴槽に入らなければならないので、気分転換のために入浴しても疲労回復やリラックスした気分に殆どなれない。これに対し、新設の戸建て住宅や大規模の高級マンションでは、広いバスルームに１４００ｍｍ以上の長寸の浴槽が設置されており、足を伸ばして入浴できるのでリラックスできる反面、使用湯量と湯沸かし費用が高くなり、特に冬場に毎日入浴すると非常に不経済である。
【０００３】
入浴時において、快適でリラックスするには、立て膝をして入浴するのではなく、仰臥姿勢で入浴できることが重要であり、実際には入浴時に足が伸ばせるか否かは大した問題ではない。仰臥姿勢で入浴可能な浴槽として、実開昭６３−１８９０８０号、特開平１１−３１８７３５号および特開２００２−２９１６３７号などが例示できる。これらの浴槽は、一般に、背もたれ壁の傾斜角度２０〜４５度またはそれ以上である。また、底壁の長さが８０〜１１００ｍｍであり、入浴者は足を軽く曲げて浴槽に入っているから、全長は短くても１４００ｍｍ程度である。
【特許文献１】実開昭６３−１８９０８０号公報
【特許文献２】特開平１１−３１８７３５号公報
【特許文献３】特開２００２−２９１６３７号公報
【発明の開示】
【発明が解決しようとする課題】
【０００４】
前記の浴槽のように全長が１４００ｍｍ以上になると、たとえ背もたれ壁があって快適な入浴が可能であっても、設置可能な場所が戸建て住宅や新築マンションに制限されてしまう。旧来のビジネスホテルや古いマンションでは、バスルームが狭くて設置可能な浴槽の長さが１２００ｍｍ前後にすぎないので、全長が１４００ｍｍ以上である前記の浴槽を設置することができず、たとえ快適な浴槽でも取り付けることができない。
【０００５】
また、全長が１４００ｍｍ以上で広幅の浴槽であると、傾斜させた背もたれ壁によって満水量が多少少なくなっても、旧来の１２００ｍｍユニットバスと比べて、やはり使用湯量は相当に多くなってしまう。使用湯量が多くなれば当然湯沸かし費用が高くなるとともに、都市ガスの大量消費によって二酸化炭素の発生量も多くなり、ひいては地球温暖化にも悪影響を与える。
【０００６】
本発明は、従来の背もたれ式の浴槽に関する前記の問題点を改善するために提案されたものであり、長さ約１２００ｍｍ程度の短寸の浴槽であるのに、快適な仰臥姿勢が可能である省エネ浴槽を提供することを目的としている。本発明の他の目的は、間伐材のような安価な材料で組み立てることで仰臥可能な省エネ浴槽を提供することである。
【課題を解決するための手段】
【０００７】
本発明に係る仰臥可能な省エネ浴槽では、浴槽の前後壁が、水壁面に対して適宜に傾斜した背もたれ壁と、ほぼ直立する対向壁とで構成される。本発明の省エネ浴槽は、その両側壁が背もたれ壁の上方部に比べて対向壁の近傍において広がることにより、入浴者が両足を組んで入ることが可能であり、平均的日本人が仰臥姿勢で両足を組んで入浴した際に、頭部を背もたれ壁の上縁に載せると膝部または脛部が対向壁に軽く接触する程度の長さを有する。
【０００８】
好ましくは、本発明の省エネ浴槽は、全長が１２００ｍｍ前後であり、且つ底壁が水平面に対して５〜１５度傾斜している。
【０００９】
本発明の省エネ浴槽は、背もたれ壁から対向壁まで延びる支持板を浴槽内で水平または斜めに設置し、該支持板の傾斜角度を適宜に変更することにより、入浴者の身長の長短に対応させることが可能である。また、本発明の省エネ浴槽では、背もたれ壁と底壁との交差部分に傾斜または湾曲表面の隅付け材を嵌め込んで固着すると好ましい。このような隅付け材は、底壁と対向壁、底壁と両側壁、背もたれ壁と両側壁、対向壁と両側壁との交差部分にも嵌め込んで固着してもよい。
【００１０】
本発明の省エネ浴槽は、平行に並べて組み立てた間伐材の小割り材ないしプラスチックプレートまたはガラス繊維強化プラスチック（ＦＲＰ）の成形品によって構成される。この間伐材は、ヒノキ、サワラまたはコウヤマキであると好ましい。
【００１１】
本発明を図面によって説明すると、本発明に係る省エネ浴槽１（図１）は、例えば、ヒノキ、サワラやコウヤマキなど間伐材を用いた木製であると、比較的安価に製作できるので好ましい。プラスチックプレートは、間伐材とほぼ同様の形状と寸法に細長く成形しても、背もたれ壁、対向壁、底壁、両側壁に相当する大きさの５枚に一体成形してもよい。このプラスチックプレートは、多数本のボルト−ナットなどで結合し、浴槽１に組み立てることが可能である。
【００１２】
また、浴槽１は、ポリプロピレンやＦＲＰなどのプラスチック成形品製、ほうろう製、ステンレス製、タイル製であってもよく、木製浴槽の一部にプラスチック材などの他の材料を使用することも可能である。木製浴槽の場合には、樹脂の含浸、塗布または噴霧などによって耐水・防水処理を施したり、木材自体に防腐処理を施してもよい。
【００１３】
浴槽１は、適宜の傾斜角度を有する背もたれ壁３を備え、しかも既存の狭いバスルームに設置できるように長さが１２００ｍｍ前後である。このため、図２に示すように入浴者３４が両足を組んで入ることができるように、浴槽１の両側壁７，７が背もたれ壁３の上方部に比べて対向壁５の近傍において広がり、入浴者３４が頭部３６を除いて全身を湯に漬けられることを要する。この背もたれ壁は、団地サイズのような長さ１１００ｍｍの浴槽であっても、傾斜角度α，β（図３）を比較的小さくすればよい。
【００１４】
浴槽１において、通常、背もたれ壁３の傾斜角度αは２０〜７５度である。この傾斜角度が２０度未満であると、浴槽１に収容可能な湯量が少なくなりすぎ、しかも湯の水位が入浴者３４の耳近くになるので好ましくない。また、この傾斜角度が７５度を超えると、必要湯量が増加するうえに、仰臥しているという感じが消滅してしまう。より好ましくは、傾斜角度αは３０〜６０度であり、この角度であると必要湯量が適量になり、さらに短い槽長さでも仰臥姿勢によって浮遊感が生じてリラックスできる。
【００１５】
浴槽１の底壁６は水平であってもよいが、浴槽１に収容する湯量を少なくするために適宜傾斜させると好ましい。通常、底壁６の傾斜角度βは５〜１５度であり、この傾斜角度が５度未満であると湯量の節約効果が少なく、この傾斜角度が１５度を超えると身体全体が傾斜しすぎて仰臥姿勢が不安定になる。
【００１６】
底壁６は、滑り防止のために粗面加工したり、ゴムやビニル製の滑り止め具を取り付けることが可能である。図３に例示するように、背もたれ壁３と底壁６との交差部分には、湾曲または傾斜表面の隅付け材３０を嵌め込んで固着してもよく、該隅付け材は、小割り材２と同一または異なる木製またはプラスチック成形品製である。このような隅付け材は、主として省エネ対策のために、底壁と対向壁、底壁と両側壁、背もたれ壁と両側壁、対向壁と両側壁との交差部分にも嵌め込んで固着することが可能である。
【００１７】
浴槽１において、両側壁７，７の間隔は、背もたれ壁３の上方部に比べて対向壁５の近傍において広がり、背もたれ壁３の上方部における間隔Ｗ１（図２）は４５０〜５５０ｍｍ、対向壁５の近傍における間隔Ｗ２（図２）は６００〜７５０ｍｍである。両側壁７，７の間隔は、浴槽１を利用する入浴者３４の体格に応じて定め、この間隔が大きすぎると無駄な湯を使用することになり、この間隔が狭すぎると入浴者３４の両肩部や組んだ足が側壁７に接触して入浴の快適さを損なうことになる。
【００１８】
浴槽１の深さつまり槽高さは、槽長さが１２００ｍｍ前後であれば４００ｍｍ程度であり、浴槽内に深さ２００ｍｍ程度まで湯を入れると、通常の入浴者３４が仰臥姿勢で浅く入浴することで湯のレベル３５（図３）が１５０ｍｍほど上昇し、全身を湯に漬けることができる。必要湯量は、入浴者３４の体格によって適宜調整すればよい。この槽高さは、団地サイズのような長さ１１００ｍｍの浴槽であれば、高さ４００ｍｍよりも若干大きくすることを要する。
【００１９】
浴槽１が箱形や角丸形などの木製であって板状の小割り材２を用いる場合、ボルト１２と丸ナット１４（図５参照）や板状の連結金具のような適宜の部材を用いて組み立てればよく、またはだぼ継ぎ、千切り継ぎ、あり継ぎまたは釘の打ち込みなどで組み立ててもよい。浴槽１の組み立ては、熱硬化性や熱反応性の接着剤を補助または全面的に利用して行ってもよく、組み合わせ部分をパテなどのゴム状物質で目止めしてもよい。
【００２０】
所望に応じて、浴槽１内に支持板３２（図３）を浴槽内部に水平または斜めに設置してもよく、適宜の頭置き台や枕を背もたれ壁３に取り付けることが可能である。また、背もたれ壁３の上縁には、大人の入浴者３４の頭部３６が嵌るような凹みを設けてもよい。木製やプラスチック製の浴槽であれば、入浴者３４の両肩部、臀部、両足部に応じた浅い凹みを形成することも可能である。
【発明の効果】
【００２１】
本発明に係る省エネ浴槽は、全長を１２００ｍｍ前後に限定できるので、単に新設のバスルームだけでなく、旧来の狭いバスルームだけを備えたマンション、団地、ビジネスホテルでも設置可能である。しかも、本発明に係る省エネ浴槽は、適当に傾斜した背もたれ壁を備えることにより、入浴者が浴槽内で仰臥して両足を組むと快適な入浴が可能であり、且つ槽高さが４００ｍｍのように低くなり、高齢者や身体が不自由な人でも比較的容易に入浴することができる。
【００２２】
本発明において、浴槽内に深さ２００ｍｍ程度まで湯を入れると、入浴者が仰臥姿勢で浅く入浴することで全身を湯に漬けることができる。このため、使用湯量は約１００リットルにすぎず、既存の長さ１２００ｍｍの浴槽と比べても半分以下になり、湯沸かし時間およびガス使用量が従来の半分以下になる。この結果、ガス料金が年間３万円以上も節約になるうえに、都市ガスの消費削減によって二酸化炭素の発生量も少なくなり、地球温暖化に対して好影響を与えることができる。また、本発明の省エネ浴槽をヒノキなどの間伐材で組み立てると、いっそう安価な浴槽を製造することができる。
【００２３】
本発明に係る省エネ浴槽は、既設のマンション、団地、ビジネスホテルなどにおけるバスルームのリフォームの際に設置すると、入浴の快適さやガス使用料金などの点で、顧客における満足度が高まるものと推定できる。現状のリフォームでは、既存の固定式の浴槽を同機能の新しいものに交換するだけであるが、これを本発明の浴槽に取り替えると、短寸で軽いので移動させて洗浄・乾燥することが容易である。
【発明を実施するための最良の形態】
【００２４】
次に、本発明を実施例に基づいて説明するが、本発明は実施例に限定されるものではない。図１は本発明に係る省エネ浴槽１を例示し、該浴槽はヒノキまたはコウヤマキの間伐材から製材した多数枚の小割り材２によって組み立てる。この小割り材２は、通常、長さ１２００ｍｍ、幅１００ｍｍ、厚さ２５ｍｍであり、これらを浴槽１の部位に応じて個々に所定の平面形状に裁断する。
【００２５】
小割り材２で組み立てる木製の浴槽１は、図１から図３に示すように、背もたれ壁３の上縁の横幅Ｗ１が５００ｍｍ、直立する対向壁５の横幅Ｗ２が６５０ｍｍであり、該浴槽の全長Ｌ１は１２００ｍｍ、高さＨは４００ｍｍに定める。背もたれ壁３の傾斜角度αは約４５度に定める。また、底壁６の長さＬ２を８００ｍｍ、且つ該底壁の傾斜角度βを約９度３０分に定める。実際には、１２００ｍｍの全長Ｌ１で２００ｍｍ高くなるように底壁３を傾斜させるため、β＝ｔａｎ−１１／６である。
【００２６】
複数枚の小割り材２によって平板状の背もたれ壁３，対向壁５，底壁６および両側壁７，７を密に構成するには、各小割り材を所定の平面形状に裁断するとともに、例えば、表面と平行に直交方向に貫通する横孔８（図４）を適当な間隔をおいて端面に穿孔する。外側配置の小割り板２ａには、横孔８と連通する縦孔１０を垂直に穿孔し、該縦孔は、小割り板２ａを貫通せず、浴槽１の外方にだけ露出させる。所定の小割り材２を図示のように平行に並べ、各横孔８を合致させてから、図５に示すようにボルト１２を各横孔８に通し、縦孔１０に挿入した丸ナット１４にねじ込んで密に接合する。丸ナットは、縦孔１０に嵌合可能な直径の円柱形であり、その周壁にボルト１２がねじ込み可能なねじ孔を設けている。
【００２７】
例えば、対向壁５と底壁６のように、両者を直角に接合する場合には、底壁６の端縁に沿って小割り材２ｂに垂直方向に貫通する縦孔１５（図６）を適当な間隔をおいて穿孔する。対向壁５の小割り板２ｃには、縦孔１５と合致する盲孔１６を端面に穿孔し、さらに該盲孔と連通する縦孔１８を形成し、該縦孔１８は小割り板２ｃを貫通せず、浴槽１の外方にだけ露出させる。底壁６の縦孔１５と対向壁５の盲孔１６を合致させてから、図６に示すようにボルト２０を縦孔１５および盲孔１６に通し、縦孔１８に挿入した丸ナット２２にねじ込んで密に接合する。同様に、底壁６に対して背もたれ壁３および両側壁７，７を密に接合すればよい。図示しないけれども、実際には、ボルト１２，２０などは、小割り材２の側面や端面から露出しないように、該ボルトの沈み孔を同心状に設けたり、その側面や端面にボルトカバー材を接着する。
【００２８】
一方、図７に例示するように、両側壁７，７は、底壁６の各小割り材２を介して長寸のボルト２４とナット２６によって直接結合することも可能である。この場合、両側壁７，７の端縁に沿って小割り材２ｄに垂直方向に貫通する縦孔２８を適当な間隔をおいて穿孔する。ボルト２４を両側壁７，７の縦孔２８および底壁６の各小割り材の横孔８を通し、ナット２６で密に固定する。このような直接接合は、両側壁７，７と背もたれ壁３ないし対向壁５について行ってもよい。
【００２９】
浴槽１内において、湾曲表面の隅付け材３０（図３）を背もたれ壁３と底壁６との交差部分に嵌め込んで固着すると好ましい。この固着は、接着剤の塗布、継ぎ組み、釘の打ち込みなどによって行う。隅付け材３０は、通常、小割り材２と同一の木製である。隅付け材３０は、横倒ししたほぼ三角柱状の形状であり、一方の底面が平坦で底壁６と接し、他方の底面が背もたれ壁３と同じ傾斜角度で該背もたれ壁と接着する。隅付け材３０の表面を滑らかに湾曲させることにより、浴槽内部における触感が良化する。図示しないけれども、このような隅付け材は、底壁と対向壁、底壁と両側壁、背もたれ壁と両側壁、対向壁と両側壁との交差部分にも嵌め込んで固着する。
【００３０】
所望に応じて、浴槽１内において、背もたれ壁３から対向壁５まで延びる支持板３２（図３）を浴槽内部に水平に設置してもよい。支持板３２は、幼児や子供などの入浴の際の補助具であり、入浴者の身長の長短に対応させるために用いる。支持板３２は多孔板でもよく、背もたれ壁３の幅の半分以上の横幅を有する。支持板３２は、例えば、一端部をプラスチックヒンジ（図示しない）などで回動可能に係止し、他端部をピンなどで固定することによって傾斜角度を適宜に変更することが可能である。
【００３１】
浴槽１が、角度４５度に傾斜した背もたれ壁３および角度約９度３０分に傾斜した底壁６を有することにより、図１から図３に示すように、大人の入浴者３４が浴槽１内で仰臥し、足を組んで入浴すると湯の水位３５が上昇し、両肩部を含む全身を湯に漬けることができる。この際に、入浴者３４が頭部３６を背もたれ壁３の上縁に位置させると、全身がやや沈み込んで膝部３８が対向壁５に軽く接触する（図３参照）。浴槽１は、槽高さが４００ｍｍのように相当に低いことにより、高齢者や身体が不自由な人でも比較的容易に入浴できる。浴槽１内には、一般に深さ２００ｍｍ程度まで湯を入れると、入浴者３４が仰臥姿勢で浅く入浴するとその体積によって湯の水位３５が相当に上昇する。
【００３２】
浴槽１は、全長が１２００ｍｍであるので、旧来の狭いバスルームを備えたマンション、団地、ビジネスホテルにおいて、バスルームのリフォームの際に交換用として販売できる。浴槽１をバスルームのリフォームの際に設置すると、入浴の快適さやガス使用料金の節減などの点で、顧客における満足度が高まる。浴槽１は、短寸で軽いので移動させて洗浄・乾燥することが容易であり、夏期にはバスルームの外へ出して乾燥させ、シャワーのみで身体を洗うことも可能である。
【００３３】
図８は本発明の変形例を示し、ＦＲＰ成形品製の浴槽４０の内部形状は、前記の浴槽１のそれとほぼ同様である。このＦＲＰは、熱硬化性樹脂の不飽和ポリエステル樹脂などを用い、プレス成形法、スプレーアップ法またはハンドレイアップ法によって成形する。浴槽４０では、例えば、背もたれ内壁４２の傾斜角度αが６０度および内底壁４４の傾斜角度βが１０度であり、対向内壁４５はほぼ直立している。背もたれ内壁４２の上方部は、前記の浴槽１に比べていっそう狭くなり且つその中央部に入浴者４６の頭部を載せる凹み４７を設ける。浴槽４０の両内側壁４８，４８は、背もたれ内壁４２から後方へ向かって平行に延びてから対向内壁４５の近傍において急に広がるので、前記の浴槽１に比べて湯量をいっそう節約でき、且つ入浴者が両足を組んで入浴することが可能である。
【００３４】
浴槽４０は、外形が縦１２００ｍｍ、横７００ｍｍである面取りされた直方体形状であり、狭いバスルーム内に収納しても隙間なく設置することができる。例えば、背もたれ内壁４２と対向内壁４５との内寸は１１５０ｍｍであり、両内側壁４８，４８の内寸は、背もたれ内壁４２の広い部位において４５０ｍｍ、対向内壁４５の近傍で６５０ｍｍである。浴槽４０の深さは４００ｍｍである。
【００３５】
浴槽４０は、傾斜角度６０度の背もたれ内壁４２および傾斜角度１０度の内底壁４４を有することにより、大人の入浴者４６が浴槽内で仰臥し、図示のように足を組んで入浴すると両肩部を含む全身を湯に漬けることができる。この際に、入浴者４６が頭部を背もたれ内壁４２の凹み４７上縁に位置させると、全身がやや沈み込んで膝部が対向内壁に軽く接触するので、快適な入浴が期待できる。浴槽４０では、浴槽内に深さ２００ｍｍ程度まで湯を入れると、入浴者が仰臥姿勢で浅く入浴するとその体積によって湯の水位が上昇し、湯に全身を漬けることができる。
【図面の簡単な説明】
【００３６】
【図１】本発明に係る省エネ浴槽を例示する概略側面図である。
【図２】図１の省エネ浴槽を示す概略平面図である。
【図３】図２のＡ−Ａ線に沿って切断した縦断面図であり、各小割り材を貫通する横孔を図示していない。
【図４】各小割り材における横孔および縦孔を例示する側面図である。
【図５】図４のＢ−Ｂに沿って切断した縦断面図であり、各小割り材の平行接合態様を示す。
【図６】小割り材の直角接合態様を示す部分断面図である。
【図７】各小割り材における別の平行接合態様を示す部分断面図である。
【図８】本発明の変形例を示すプラスチック浴槽の概略平面図である。
【符号の説明】
【００３７】
１    省エネ浴槽
２    小割り材
３    背もたれ壁
５    対向壁
６    底壁
７，７    側壁
３４    入浴者
【図１】
2007175099.tif 000003
【図２】
2007175099.tif 000004
【図３】
2007175099.tif 000005
【図４】
2007175099.tif 000006
【図５】
2007175099.tif 000007
【図６】
2007175099.tif 000008
【図７】
2007175099.tif 000009
【図８】
2007175099.tif 000010
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
間伐材から製材した多数枚の小割り材を用い、各小割り材について、その表面と平行に直交方向に貫通する横孔を適当な間隔をおいて穿孔することにより、所定数の小割り材を平行に並べ、各横孔を合致させてからボルトを各横孔に通して密に接合することで組み立てる浴槽であって、浴槽の前後壁が、水平面に対して適宜に傾斜した背もたれ壁と、ほぼ直立する対向壁とで構成され、浴槽の両側壁が背もたれ壁の上方部に比べて対向壁の近傍において広がることにより、入浴者が両足を組んで入ることが可能であり、入浴者が仰臥姿勢で両足を組んで入浴した際に、頭部を背もたれ壁の上縁に載せると膝部または脛部が対向壁に軽く接触する程度の長さを有する仰臥可能な省エネ浴槽。
【請求項２】
全長が１２００ｍｍ前後であり、且つ底壁が水平面に対して５〜１５度傾斜している請求項１記載の省エネ浴槽。
【請求項３】
背もたれ壁から対向壁まで延びる支持板を浴槽内で水平または斜めに設置し、該支持板の傾斜角度を適宜に変更することにより、入浴者の身長の長短に対応させる請求項１記載の省エネ浴槽。
【請求項４】
外側配置の小割り板には横孔と連通する縦孔を垂直に穿孔し、該縦孔は小割り板を貫通せずに浴槽の外方にだけ露出させることにより、所定数の小割り材を平行に並べ、各横孔を合致させてからボルトを各横孔に通し、各縦孔に挿入したナットにねじ込んで密に接合して各壁を形成するとともに、背もたれ壁と底壁との交差部分に傾斜または湾曲表面の隅付け材を嵌め込んで固着する請求項１記載の省エネ浴槽。